(57)【要約】【課題】簡略地図を簡易に作成することのできる簡略地図作成装置を提供する。【解決手段】簡略地図作成装置は、新しく登録するランドマークＢについて、「奈良駅より南」等の特定の１点を指す一意の位置情報ではなく、ある程度の広がりをもった範囲を指す曖昧な位置情報の設定を受付ける。次に、設定された曖昧な位置情報から、基準となるランドマーク「奈良駅」を抽出する。次に、登録されている基準となるランドマーク「奈良駅」の位置情報を記憶装置から抽出し、「奈良駅」の位置情報と、受付けた位置情報に含まれる「南」とに基づいて、新たに設定するランドマークＢの、ランドマーク「奈良駅」に対する相対位置を決定する。そして、決定された相対位置から新たに登録するランドマークＢの表示位置を決定し、当該ランドマークＢを示すアイコンを簡略地図上に表示する。【選択図】　　　　図８
2004125871.tif 000002
【特許請求の範囲】
【請求項１】
ランドマークの属性情報として、抽象的な範囲（ある程度の広がりをもった範囲）を指す位置情報を含む属性情報を設定する属性情報設定手段と、
前記設定された属性情報を、前記ランドマークに対応付けて記憶装置に格納する格納手段と、
前記設定された位置情報に基づいて、前記ランドマークの基準位置からの相対位置を決定する相対位置決定手段と、
前記決定された相対位置に基づいて、前記ランドマークの表示位置を決定する表示位置決定手段とを備える、簡略地図作成装置。
【請求項２】
前記決定された表示位置に、前記ランドマークを表示する表示手段をさらに備える、請求項１に記載の簡略地図作成装置。
【請求項３】
前記属性情報設定手段は、ユーザから文字列あるいはスクリプトによって入力される位置情報と、ユーザから地図上で指定されることで入力される位置情報と、位置情報取得手段によって取得する位置情報との少なくとも１つの位置情報を含む属性情報を設定する、請求項１に記載の簡略地図作成装置。
【請求項４】
前記属性情報設定手段は、前記ランドマークの属するグループ情報をさらに設定し、前記表示手段は、所定のグループに属するランドマークを複数の表示方法で表示することが可能である、請求項２に記載の簡略地図作成装置。
【請求項５】
前記設定された属性情報に基づいて、前記ランドマークの属するグループを分類するグルーピング手段をさらに備え、
前記表示手段は、所定のグループに属するランドマークを通常とは異なる表示方法で表示する、請求項２に記載の簡略地図作成装置。
【請求項６】
前記表示手段は、所定のグループに属するランドマークのみを表示する、請求項４または５に記載の簡略地図作成装置。
【請求項７】
前記属性情報設定手段は、前記記憶装置にすでに属性情報が格納されているランドマークに対する属性情報をさらに設定し、
前記格納手段は、前記ランドマークの属性情報を更新して格納する、請求項１に記載の簡略地図作成装置。
【請求項８】
前記属性情報が更新された第１のランドマークの位置情報を前記基準位置としている第２のランドマークの属性情報を、前記記憶装置から抽出する抽出手段をさらに備え、
前記相対位置決定手段は、前記更新された第１のランドマークの位置情報を新たな基準位置として、前記第２のランドマークの前記新たな基準位置からの相対位置を決定する、請求項７に記載の簡略地図作成装置。
【請求項９】
前記決定された第１のランドマークの表示位置が、前記第１のランドマークとは異なる第２のランドマークの表示位置と同一である場合に、前記表示位置決定手段は、前記決定された第１のランドマークの表示位置から所定の範囲にある他の位置を新たな表示位置として決定する、請求項１に記載の簡略地図作成装置。
【請求項１０】
端末装置とサーバとを含む簡略地図作成システムであって、
前記端末装置は、ランドマークの属性情報として、抽象的な範囲（ある程度の広がりをもった範囲）を指す位置情報を含む属性情報を、前記サーバに対して設定する属性情報設定手段を備え、
前記サーバは、
前記設定された属性情報を、前記ランドマークに対応付けて記憶装置に格納する格納手段と、
前記設定された位置情報に基づいて、前記ランドマークの基準位置からの相対位置を決定する相対位置決定手段と、
前記決定された相対位置に基づいて、前記ランドマークの表示位置を決定する表示位置決定手段と、
前記決定された前記ランドマークの表示位置を、前記端末装置に対して送信する送信手段とを備える、簡略地図作成システム。
【請求項１１】
ランドマークの属性情報として、抽象的な範囲（ある程度の広がりをもった範囲）を指す位置情報を含む属性情報を設定する属性情報設定ステップと、
前記設定された属性情報を、前記ランドマークに対応付けて記憶装置に格納する格納ステップと、
前記設定された位置情報に基づいて、前記ランドマークの基準位置からの相対位置を決定する相対位置決定ステップと、
前記決定された相対位置に基づいて、前記ランドマークの表示位置を決定する表示位置決定ステップとを備える、簡略地図作成方法。
【請求項１２】
前記決定された表示位置に、前記ランドマークを表示する表示ステップをさらに備える、請求項１１に記載の簡略地図作成方法。
【請求項１３】
簡略地図作成方法をコンピュータに実行させる簡略地図作成プログラムであって、
ランドマークの属性情報として、抽象的な範囲（ある程度の広がりをもった範囲）を指す位置情報を含む属性情報を設定する属性情報設定ステップと、
前記設定された属性情報を、前記ランドマークに対応付けて記憶装置に格納する格納ステップと、
前記設定された位置情報に基づいて、前記ランドマークの基準位置からの相対位置を決定する相対位置決定ステップと、
前記決定された相対位置に基づいて、前記ランドマークの表示位置を決定する表示位置決定ステップとを実行させる、簡略地図作成プログラム。
【請求項１４】
前記決定された表示位置に、前記ランドマークを表示する表示ステップをさらに実行させる、請求項１３に記載の簡略地図作成プログラム。
【発明の詳細な説明】
【０００１】
【発明の属する技術分野】
この発明は簡略地図作成装置、簡略地図作成システム、簡略地図作成方法、および簡略地図作成プログラムに関し、特に、簡略地図を簡易に作成することのできる簡略地図作成装置、簡略地図作成システム、簡略地図作成方法、および簡略地図作成プログラムに関する。
【０００２】
【従来の技術】
従来より、簡略地図を作成する方法として、特許文献１または特許文献２に示されるようなユーザが簡略地図を作成する方法と、特許文献３または特許文献４に示されるような詳細な地図データを簡略地図に変換する方法とが提案されている。
【０００３】
より詳しくは、特許文献１は、記憶装置に記憶された位置情報に基づいてランドマークが表示された絵地図上に現在位置を表示することでナビゲーションを行なうことのできるナビゲーション方法であって、表示される絵地図上においてランドマークの位置をユーザが指定して新たにランドマークを登録し、簡略地図を作成するナビゲーション方法を開示している。
【０００４】
また、特許文献２は、任意の空間座標値がユーザ等から与えられたときに、その空間座標値に対応する絵地図上の位置を算出する絵地図の空間座標値算出方法を開示している。
【０００５】
また、特許文献３は、目的地と出発地との入力を受付けることで、階層化されて蓄積された情報から適当な情報を読出して、最寄の出発点から目的地までの簡略地図を作成することができる地図端末について開示している。
【０００６】
また、特許文献４は、読取った詳細な地図情報を表示し、その地図画像に基づいて指定された情報から、詳細な地図情報を簡略地図に変換する簡易地図作成装置について開示している。
【０００７】
【特許文献１】
特開２００２−１８１５６１号公報
【０００８】
【特許文献２】
特開２００１−２３６０１３号公報
【０００９】
【特許文献３】
特許第３１３６７９８号公報
【００１０】
【特許文献４】
特許第２８２２９６７号公報
【００１１】
【発明が解決しようとする課題】
しかしながら、上述の特許文献１または特許文献２に示されるような方法を用いて簡略地図を作成する場合、ユーザは位置関係を判別しながら作成のための指示や入力を行なわねばならず手間がかかるという問題がある。
【００１２】
また、特許文献３または特許文献４に示されるような方法を用いて、詳細な地図データを簡略地図を自動的に変換する場合、ユーザが認識できるレベルの簡略地図に変換するためには、煩雑で複雑な処理が必要となるという問題もある。
【００１３】
本発明はこのような問題に鑑みてなされたものであり、少ない情報で効果的に位置関係を表示できる簡略地図を簡易に作成することのできる簡略地図作成装置、簡略地図作成システム、簡略地図作成方法、および簡略地図作成プログラムを提供することを目的とする。
【００１４】
【課題を解決するための手段】
上記目的を達成するために、本発明のある局面に従うと、簡略地図作成装置は、ランドマークの属性情報として、抽象的な範囲（ある程度の広がりをもった範囲）を指す位置情報を含む属性情報を設定する属性情報設定手段と、設定された属性情報を、ランドマークに対応付けて記憶装置に格納する格納手段と、設定された位置情報に基づいて、ランドマークの基準位置からの相対位置を決定する相対位置決定手段と、決定された相対位置に基づいて、ランドマークの表示位置を決定する表示位置決定手段とを備える。
【００１５】
また、簡略地図作成装置は、決定された表示位置に、ランドマークを表示する表示手段をさらに備えることが望ましい。
【００１６】
また、上述の属性情報設定手段は、ユーザから文字列あるいはスクリプトによって入力される位置情報と、ユーザから地図上で指定されることで入力される位置情報と、位置情報取得手段によって取得する位置情報との少なくとも１つの位置情報を含む属性情報を設定することが望ましい。
【００１７】
また、上述の属性情報設定手段は、ランドマークの属するグループ情報をさらに設定し、表示手段は、所定のグループに属するランドマークを適切な表示方法で表示することが望ましい。
【００１８】
あるいは、簡略地図作成装置は、設定された属性情報に基づいて、ランドマークの属するグループを分類するグルーピング手段をさらに備え、表示手段は、所定のグループに属するランドマークを通常とは異なる表示方法で表示することが望ましい。
【００１９】
また、上述の表示手段は、所定のグループに属するランドマークのみを表示することが望ましい。
【００２０】
また、上述の属性情報設定手段は、記憶装置にすでに属性情報が格納されているランドマークに対する属性情報をさらに設定し、格納手段は、ランドマークの属性情報を更新して格納することが望ましい。
【００２１】
また、簡略地図作成装置は、属性情報が更新された第１のランドマークの位置情報を基準位置としている第２のランドマークの属性情報を、記憶装置から抽出する抽出手段をさらに備え、相対位置決定手段は、更新された第１のランドマークの位置情報を新たな基準位置として、第２のランドマークの新たな基準位置からの相対位置を決定することが望ましい。
【００２２】
また、決定された第１のランドマークの表示位置が、第１のランドマークとは異なる第２のランドマークの表示位置と同一である場合に、表示位置決定手段は、決定された第１のランドマークの表示位置から所定の範囲にある他の位置を新たな表示位置として決定することが望ましい。
【００２３】
本発明の他の局面に従うと、簡略地図作成システムは、端末装置とサーバとを含む簡略地図作成システムであって、端末装置は、ランドマークの属性情報として、抽象的な範囲（ある程度の広がりをもった範囲）を指す位置情報を含む属性情報を、サーバに対して設定する属性情報設定手段を備え、サーバは、設定された属性情報を、ランドマークに対応付けて記憶装置に格納する格納手段と、設定された位置情報に基づいて、ランドマークの基準位置からの相対位置を決定する相対位置決定手段と、決定された相対位置に基づいて、ランドマークの表示位置を決定する表示位置決定手段と、決定されたランドマークの表示位置を、端末装置に対して送信する送信手段とを備える。
【００２４】
本発明のさらに他の局面に従うと、簡略地図作成方法は、ランドマークの属性情報として、抽象的な範囲（ある程度の広がりをもった範囲）を指す位置情報を含む属性情報を設定する属性情報設定ステップと、設定された属性情報を、ランドマークに対応付けて記憶装置に格納する格納ステップと、設定された位置情報に基づいて、ランドマークの基準位置からの相対位置を決定する相対位置決定ステップと、決定された相対位置に基づいて、ランドマークの表示位置を決定する表示位置決定ステップとを備える。
【００２５】
また、簡略地図作成方法は、決定された表示位置に、ランドマークを表示する表示ステップをさらに備えることが望ましい。
【００２６】
本発明のさらに他の局面に従うと、簡略地図作成プログラムは、簡略地図作成方法をコンピュータに実行させる簡略地図作成プログラムであって、ランドマークの属性情報として、抽象的な範囲（ある程度の広がりをもった範囲）を指す位置情報を含む属性情報を設定する属性情報設定ステップと、設定された属性情報を、ランドマークに対応付けて記憶装置に格納する格納ステップと、設定された位置情報に基づいて、ランドマークの基準位置からの相対位置を決定する相対位置決定ステップと、決定された相対位置に基づいて、ランドマークの表示位置を決定する表示位置決定ステップとを実行させる。
【００２７】
また、簡略地図作成プログラムは、決定された表示位置に、ランドマークを表示する表示ステップをさらに実行させることが望ましい。
【００２８】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２９】
［第１の実施の形態］
図１は、本実施の形態における簡略地図作成装置である端末装置１の構成を示すブロック図である。
【００３０】
図１を参照して、本実施の形態における簡略地図作成装置である端末装置１は、端末装置１全体の制御を行なうＣＰＵ（Ｃｅｎｔｒａｌ　Ｐｒｏｃｅｓｓｉｎｇ　Ｕｎｉｔ）１１と、ＣＰＵ１１で実行するプログラム等を記憶するＲＯＭ（Ｒｅａｄ　Ｏｎｌｙ　Ｍｅｍｏｒｙ）１３と、また、ＣＰＵ１１でプログラムを実行する際の記憶領域ともなるＲＡＭ（Ｒａｎｄｏｍ　Ａｃｃｅｓｓ　Ｍｅｍｏｒｙ）１２と、情報の表示を行なうディスプレイ（ＤＩＳＰＬＡＹ）１４とを含み、それぞれバス（ＢＵＳ）を介して接続されている。
【００３１】
さらに、本実施の形態における簡略地図作成装置である端末装置１の機能を表わす機能ブロック図を図２に示す。
【００３２】
図２を参照して、本実施の形態における簡略地図作成装置である端末装置１は、ＣＰＵ１１等から構成され、以降に述べる簡略地図作成処理を実行する制御部１０２と、ＲＯＭ１３やＲＡＭ１２等から構成され、ランドマーク情報や地図情報のテーブルを記憶する記憶部１０３と、ディスプレイ１４等から構成され、簡略地図データ等を表示する表示部１０４と、ボタンやスクロールキー等から構成され、ランドマークの情報等を設定するためのユーザインタフェースである操作部１０５と、インターネットやＬＡＮ（Ｌｏｃａｌ　Ａｒｅａ　Ｎｅｔｗｏｒｋ）等の専用回線を用いた通信や、無線通信を行なうための通信部１０１とを含む。
【００３３】
このような端末装置１は、携帯電話であってもよいし、一般的なパーソナルコンピュータや、ＰＤＡ（Ｐｅｒｓｏｎａｌ　Ｄｉｇｉｔａｌ　Ａｓｓｉｓｔａｎｔｓ）、カーナビゲーション装置等であってもよい。このような場合、上述の他に、それらの装置に必要な機能（例えばスピーカ等）をさらに備えるものとする。また、端末装置１は、上述の通信部１０１を必ずしも備えていなくても構わない。
【００３４】
なお、ランドマークとは、地図において目印となる建物や物体等の指標物を意味し、ここでは、その位置が端末装置１の表示部１０４上にアイコン等を用いて表示される。
【００３５】
次に、図３に、本実施の形態における簡略地図作成装置である端末装置１で実行される簡略地図作成処理についてフローチャートを示す。図３のフローチャートに示される処理は、端末装置１のＣＰＵ１１がＲＯＭ１３に記憶されるプログラムを読出してＲＡＭ１２上に展開することによって、制御部１０２において実行される。
【００３６】
図３を参照して、始めに、地図の基準位置を設定する（Ｓ１０１）。ステップＳ１０１で設定する基準位置は、表示部１０４で表示する地図の基準となる位置であって、操作部１０５においてユーザからの入力を受付けることによって設定することができる。例えば、ユーザが、表示部１０４に表示された広域地図上から奈良駅の位置をプロットすることによって、基準位置を奈良駅に設定することができる。また、予め記憶部１０３に基準位置の候補が記憶されている場合には、記憶されている基準位置設定用のテーブルから位置情報を取得して設定することもできる。また、端末装置１がＧＰＳ（Ｇｌｏｂａｌ　Ｐｏｓｉｔｉｏｎｉｎｇ　Ｓｙｓｔｅｍ：全地球測位システム）を用いた位置測定手段を備える場合には、取得したＧＰＳ情報から現在位置を自動的に算出して、自動的に現在位置を基準位置に設定してもよい。
【００３７】
次に、ランドマークを新しく登録する場合には（Ｓ１０３でＮＯ）、登録するランドマークについての属性である位置情報を設定する（Ｓ１０５）。ステップＳ１０５におけるランドマークの位置情報については、後に具体例を挙げて説明する。なお、ここでは、ランドマークの位置情報と共に、後に具体的に説明する他の属性も設定することができるものとする。
【００３８】
次に、ステップＳ１０５で設定されたランドマークの位置情報に基づいて、簡略地図上の当該ランドマークの表示位置を計算する（Ｓ１０７）。ステップＳ１０７における表示位置の計算処理についても、後にサブルーチンを挙げ、詳細な説明を行なう。
【００３９】
そして、ステップＳ１０７で計算された簡略地図上の表示位置にランドマークをプロットし（Ｓ１０９）、他のランドマークの設定を行なわない場合には（Ｓ１０３でＹＥＳ）、以上で簡略地図作成処理を終了する。
【００４０】
さらに、図４に、上述のステップＳ１０７における、新たに登録するランドマークの表示位置の計算処理について、フローチャートを示す。
【００４１】
図４を参照して、始めに、新たに登録するランドマークに対して設定された位置情報の区分に応じて、計算方法を選択する（Ｓ１２１）。
【００４２】
ステップＳ１２１において、設定された位置情報の区分が曖昧な位置情報であると判断された場合、ステップＳ１２３に処理を進める。ここで、「曖昧な位置情報」とは、特定の１点を指す一意の位置情報ではなく、ある程度の広がりをもった範囲であって抽象的な範囲を指す位置情報のことを言うものとする。具体的には、図３のステップＳ１０５において、図５に示すような位置情報が設定された場合に、「曖昧な位置情報」であるものとして、図４のステップ１２３の処理を行なう。すなわち、図５を参照して、図４のステップＳ１０５で「ランドマークＢは奈良駅より南」等の位置情報が設定された場合、登録するランドマークＢの位置情報は、特定の１点を指す一意の位置情報ではなく、他のランドマークである「奈良駅」より南の、ある程度の広がりをもった範囲を指す位置情報である「曖昧な位置情報」であると、図４のステップＳ１２１において判断される。すると、図４のステップＳ１２３において、曖昧な位置情報からの相対位置の抽出処理が行なわれる。
【００４３】
なお、曖昧な位置情報の具体例としては、図５に示される文字列による位置情報に限定されず、図６に示されるＸＭＬ（Ｅｘｔｅｎｓｉｂｌｅ　Ｍａｒｋｕｐ　Ｌａｎｇｕａｇｅ：次世代ＨＴＭＬ（Ｈｙｐｅｒｔｅｘｔ　Ｍａｒｋｕｐ　Ｌａｎｇｕａｇｅ））等のプログラミング言語であるスクリプトによる位置情報であっても構わない。
【００４４】
さらに、図４のステップＳ１２３における曖昧な位置情報からの相対位置の抽出処理について、図７にフローチャートを示し、説明する。
【００４５】
図７を参照して、まず、図５に示されるような設定された曖昧な位置情報から、絶対位置を抽出する（Ｓ１４１）。例えば、図５に示されるような、「ランドマークＢは奈良駅より南」なる位置情報が設定された場合、絶対位置である「奈良駅」を抽出する。ここでの抽出方法については、特には限定は行わない。例えば、このような曖昧な位置情報に基づいて、自動的に図６に示すようなスクリプトに変換することで絶対位置を抽出することもできる。また、端末装置１が図示されない文字列解析機能を備える場合には、設定された文字列からなる曖昧な位置情報を文字列解析し、絶対位置を抽出することもできる。
【００４６】
さらに、曖昧な位置情報から基準となるランドマークを抽出し、記憶部１０３に登録されているランドマーク情報を検索する（Ｓ１４３）。例えば、図５に示されるような、「ランドマークＢは奈良駅より南」なる位置情報が設定された場合、ステップＳ１４１で抽出された絶対位置である「奈良駅」に基づいて、基準となるランドマークである「奈良駅」を抽出する。さらに、ランドマーク「奈良駅」について、記憶部１０３に登録されているランドマーク情報を検索する。なお、ここでの基準となるランドマークの抽出方法についても、上述の絶対位置の抽出方法と同様であるため、説明を繰返さない。
【００４７】
そして、記憶部１０３より、基準となるランドマークの位置情報を抽出する（Ｓ１４５）。
【００４８】
次に、ステップＳ１４５で抽出された基準となるランドマークの位置情報に基づいて、新たに設定するランドマークの、基準となるランドマークに対する相対位置を決定する（Ｓ１４７）。例えば、図５に示されるような、「ランドマークＢは奈良駅より南」なる位置情報が設定された場合、ステップＳ１４５で抽出された「奈良駅」の位置情報と、設定された位置情報に含まれる「南」とに基づいて、新たに設定するランドマークの「奈良駅」からの相対位置を決定する。
【００４９】
以上で図７に示されるフローチャートを終了し、図４に示すフローチャートに処理を戻す。
【００５０】
そして、図４のステップＳ１３５において、決定された相対位置から、新たに登録するランドマークの表示位置を決定する。
【００５１】
図４のステップＳ１２１で新たに登録するランドマークに設定された位置情報の区分が曖昧な位置情報であると判断された場合には上述の処理が実行され、図８に示される簡略地図が作成される。
【００５２】
図８を参照して、曖昧な位置情報が設定されたランドマークであっても、設定された位置情報である「ある程度の広がりをもった範囲」に当該ランドマークを示すアイコンが表示され、おおよその位置関係を示す簡略地図が作成される。
【００５３】
なお、図５あるいは図６に示されるような上述の具体例においては、曖昧な位置情報として既存のランドマークとの相対位置が設定される場合を挙げているが、曖昧な位置情報は相対位置に限定されるものではなく、その他の形態のある程度の広がりをもった範囲の位置情報であっても構わない。例えば、「ランドマークＢは奈良市内の北西部」等の位置情報であっても構わない。
【００５４】
次に、ステップＳ１２１において、設定された位置情報の区分が、位置情報を取得するものであると判断された場合、ステップＳ１２５に処理を進める。ここで、「位置情報を取得するもの」とは、特定の地域を指す位置情報を取得することで新たに登録するランドマークの位置を設定する場合を言うものとする。具体的には、図３のステップＳ１０５において、緯度経度や郵便番号や、住所文字列等の、図９に示すような設定する位置情報のカテゴリが選択された場合に、図４のステップＳ１２１において「位置情報を取得するもの」であるものと判断する。
【００５５】
次に、図４のステップＳ１２５では、位置情報の取得要求を出す。すなわち、図９を参照して、図４のステップＳ１０５で「緯度経度」で位置情報を設定する旨が選択された場合、登録するランドマークの位置情報である緯度経度の取得要求を出す。ここでは、表示部１０４に、「緯度経度を入力して下さい」等の表示を出力してユーザに対して要求を出してもよい。また、ＧＰＳを用いた位置測定手段を備える場合には、ＧＰＳシステムに対してＧＰＳ情報を要求する信号を出力してもよい。
【００５６】
次に、位置情報を取得すると（Ｓ１２７）、取得した当該ランドマークの位置情報に基づいて、すでに登録されて地図上に配置済みのランドマークに対する相対位置を決定する（Ｓ１２９）。
【００５７】
そして、決定された相対位置から、設定するランドマークの表示位置を決定する（Ｓ１３５）。
【００５８】
このように位置情報を取得する場合であっても、図９に示すような郵便番号や住所文字列等は、上述の「曖昧な位置情報」と同様にある程度の広がりを持った範囲を指す位置情報であり、また、ＧＰＳ情報に基づいた緯度経度やユーザから入力された緯度経度であってもある程度の誤差や記憶間違いが含まれ、同様にある程度の広がりを持った範囲を指す位置情報である。図４のステップＳ１２１で新たに登録するランドマークに設定された位置情報の区分が、このような位置情報を取得するものと判断された場合には、上述の処理が実行され、図１０に示される簡略地図が作成される。
【００５９】
図１０を参照して、緯度経度や郵便番号等のある程度の広がりを持った範囲の位置情報が設定されたランドマークであっても、設定された位置情報である「ある程度の広がりをもった範囲」に当該ランドマークを示すアイコン（図１０においては三角印で示される）が表示され、おおよその位置関係を示す簡略地図が作成される。
【００６０】
次に、ステップＳ１２１において、設定された位置情報の区分が、ユーザが直接プロットするものであると判断された場合、ステップＳ１３１に処理を進める。具体的には、図３のステップＳ１０５において、ユーザが直接プロットして設定する位置情報のカテゴリが選択された場合に、図４のステップＳ１２１において「ユーザが直接プロットするもの」であるものと判断する。
【００６１】
次に、図４のステップＳ１３１では、操作部１０５においてユーザからの直接のプロットによる位置の入力を受付ける。具体的には、図４のステップＳ１０５でユーザが直接プロットして位置情報を設定する旨が選択された場合、図１１を参照して、表示された簡略地図上において、登録するランドマークのおおよその位置のプロットを受付ける。なお、ここでのプロットは、図１１に示されるような具体的な１点の指定に限定されず、図１２に示されるような、ある程度の広がりを持った範囲の指定であっても構わない。
【００６２】
このような処理によっても、上述と同様に、プロットされた当該ランドマークの位置情報に基づいて、すでに登録されて地図上に配置済みのランドマークに対する相対位置を決定し（Ｓ１３３）、決定された相対位置から、設定するランドマークの表示位置を決定する（Ｓ１３５）。
【００６３】
このようにユーザから位置情報が直接プロットされる場合であっても、上述の「曖昧な位置情報」と同様にある程度の広がりを持った範囲を指す位置情報である。図４のステップＳ１２１で新たに登録するランドマークに設定された位置情報の区分が、このようにユーザから直接プロットされるものと判断された場合には、上述の処理が実行され、同様に、設定された位置情報である「ある程度の広がりをもった範囲」に当該ランドマークを示すアイコンが表示された、おおよその位置関係を示す簡略地図が作成される。
【００６４】
さらに、新たに登録されたランドマークについての属性情報が、記憶部１０３に格納される。図１３に、記憶部１０３に格納されるランドマーク属性情報テーブルの具体例を示す。
【００６５】
図１３を参照して、ランドマーク属性情報テーブルには、登録されている各ランドマークについて、当該ランドマークに固有の識別子と、位置情報の区分と、位置情報と、アイコンのデータと等の属性が含まれる。これらの情報は、上述の簡略地図作成処理において当該ランドマークの位置情報が登録される際に、自動的にランドマーク属性情報テーブルに書込まれ、記憶部１０３に格納される。
【００６６】
また、図１３を参照して、ランドマーク属性情報テーブルには、登録されている各ランドマークについて、その位置情報の信頼度や、当該ランドマークのカテゴリ等を示す情報等が属性として含まれていてもよい。さらに、各ランドマークの名称や、当該ランドマークに対する口こみ情報や、当該ランドマークに対応する電話番号やウェブページのＵＲＬ（Ｕｎｉｆｏｒｍ　Ｒｅｓｏｕｒｃｅ　Ｌｏｃａｔｏｒｓ）等が属性として含まれていてもよい。
【００６７】
より具体的には、カテゴリ情報としては、当該ランドマークが飲食店であるか、駅であるか、病院であるか等の情報が該当し、上述の位置情報の設定の際、同時に操作部１０５から入力されてもよい。また、信頼度は、当該ランドマークの位置情報に対する信頼度を示す指数であって、同様に、上述の位置情報の設定の際、同時に操作部１０５から入力されてもよいし、例えばＧＰＳシステムとの通信状況に応じて自動的に入力されるものであってもよい。
【００６８】
また、新たに登録されたランドマークと、当該ランドマークが存在する地図に関する情報とが対応付けられて記憶部１０３に格納される。図１４に、記憶部１０３に格納されるランドマーク情報テーブルの具体例を示す。
【００６９】
図１４を参照して、ランドマーク情報テーブルには、各地図情報の識別子（地図識別子）と、当該地図に配置されるランドマークの識別子（ランドマーク識別子）とが対応付けられて含まれる。さらに、ランドマーク情報テーブルには、図１３に示されるような各ランドマークの属性情報が含まれていてもよい。
【００７０】
なお、言うまでもなく、図１３と図１４とに示される各テーブルは各々別個の独立したテーブルでなく、１テーブルであってもよい。具体的には、当該ランドマークが存在する地図に関する情報は、当該ランドマークの属性情報として図１３に示されるランドマーク属性情報テーブルに含まれていても構わない。
【００７１】
このように、本実施の形態における簡略地図作成装置である端末装置１は、正確な位置や距離を示す地図データに基づく必要はなく、曖昧に示された位置情報のような簡単な位置関係に基づいて、ランドマークのおおよその位置関係を示す簡略地図を作成することができる。すなわち、少ない情報で位置関係を示すことができ、携帯電話等の狭い画面上であっても、効果的に簡略地図を提供することができる。また、簡単な処理で効果的な簡略地図を容易に作成することができる。
【００７２】
さらに、本実施の形態における端末装置１が、立体視画像を作成する機能を備える場合、作成される簡略地図のデータは立体視画像データであっても構わない。具体的には、ランドマークを示すアイコンが立体視画像であってもよいし、実際の地表面の高低を立体視画像で表わすものであってもよいし、近接するランドマークを示すアイコンが重なりあう場合に、奥行きをもって表示させてもよい。
【００７３】
さらに、本実施の形態における端末装置１が、アニメーションデータを作成する機能あるいはアニメーションデータを表示する機能を備える場合には、作成される簡略地図のデータはアニメーションデータであっても構わない。具体的には、ランドマークを示すアイコン自体がアニメーション画像であってもよいし、曖昧な位置情報が設定されているランドマークあるいは設定された位置情報の信頼度が低いランドマーク等を示すアイコンがアニメーション表示で動きをもって表示されてもよいし、近接するランドマークを示すアイコンが重なりあう場合に、アニメーション表示で動きをもって交互に表示されてもよい。
【００７４】
［第２の実施の形態］
次に、グループを設定して簡略地図を作成する場合について述べる。すなわち、本実施の形態においては、上述の第１の実施の形態における簡略地図作成処理において各ランドマークの位置情報を設定する際に、属性情報としてグループも設定する。具体的には、グループ「奈良駅近く」等、位置を指定した範囲のグループを設定することが考えられる。
【００７５】
本実施の形態においてこのようなグループを設定した簡略地図作成処理が実行されると、図１３に具体例を示す属性情報がランドマーク属性情報テーブルに、さらに属性情報としてグループが記憶される。
【００７６】
このように、各ランドマークの属性情報に、位置を指定した範囲のグループを設定することで、新たなランドマークの位置情報をグループを用いて設定することができる。具体的には、図１５を参照して、ランドマークＢを設定する際に、その位置情報として「奈良駅より北」という曖昧な位置情報と、「奈良駅の近く」というグループとを設定する。そして、次にランドマークＡを設定する際に、「ランドマークＢより東」という曖昧な位置情報を指定し、さらに、すでに設定されているグループ「奈良駅の近く」という範囲を選択することによってランドマークＡを登録することができる。
【００７７】
このように位置を指定した範囲のグループを設定することによって、ランドマークの登録が容易になる。
【００７８】
なお、グループの設定は、上述のように位置情報を登録する際に設定する方法に限定されず、各ランドマークの属性情報に含まれる位置情報に基づいて、登録されているランドマーク群に対して自動的に設定されてもよい。例えば、図１３に示されたランドマークの属性情報の例によると、位置情報に「Ｂの南」を含むグループが自動的に設定されると、当該グループにはランドマークＡ，Ｅが属する。
【００７９】
また、位置を指定した範囲のグループに限定されず、信頼度やカテゴリ情報等の内容に基づいたグループを設定することも考えられる。具体的には、図１６を参照して、ランドマークＢを設定する際に、その位置情報として「奈良駅より北」という曖昧な位置情報と、「カテゴリ　飲食店」というグループとを設定する。また、ランドマークＡを設定する際に、「ランドマークＢより東」という曖昧な位置情報と、「カテゴリ　飲食店」というグループとを設定する。また、ランドマークＣを設定する際に、「奈良駅より南」という曖昧な位置情報と、「カテゴリ　デパート」というグループとを設定する。
【００８０】
このように、各ランドマークの属性情報に、信頼度やカテゴリ情報等の内容に基づいたグループを設定することで、グループを用いてランドマークの表示を行なうことができる。すなわち、上述の処理で作成された簡略地図を表示させる際、表示させたいグループを指定することで、指定されたグループが設定されたランドマークのみ表示させることができる。例えば、上述の例においては、表示させたいグループとして「カテゴリ　飲食店」というグループを指定することで、ランドマークＡとランドマークＢとが表示され、「カテゴリ　デパート」というグループに属するランドマークＣが表示されていない簡略地図が表示される。なお、このようなグループに基づいた簡略地図の表示は、グループが信頼度やカテゴリ情報等の内容に基づいたグループに限定されず、位置を指定した範囲のグループであっても同様に行なうことができる。すなわち、表示させたいグループとして「奈良駅の近く」というグループを指定することで、そのグループが設定されたランドマークのみを表示させることができる。また、表示方法をグループによって変化させることもできる。具体的には、特定のグループが設定されたランドマークのアイコンを所定の色で表示されることもできるし、信頼度に応じて表示するアイコンの濃度を変化させることもできる。
【００８１】
このようなグループに基づいた簡略地図の表示を行なうことで、ユーザは、簡略地図上で目的とするランドマークを容易に見つけることができ、利便性が多いに高まる。
【００８２】
なお、このような位置情報以外の属性情報に基づくグループの設定もまた、上述のように位置情報を登録する際に設定する方法に限定されず、各ランドマークの属性情報に含まれる信頼度やカテゴリ情報等の内容に基づいて、登録されているランドマーク群に対して自動的に設定されてもよい。例えば、図１３に示されたランドマークの属性情報の例によると、カテゴリが飲食店のグループが自動的に設定されると、当該グループにはランドマークＡ，Ｄ，Ｅが属する。
【００８３】
さらに、各ランドマークに設定されているグループを階層化することもできる。具体的には、グループ「飲食店」の下階層としてグループ「和食」、グループ「洋食」等を設定して階層化することもできる。
【００８４】
このようにグループを階層化することで、グループが位置を指定した範囲のグループである場合には、ランドマークの登録がさらに容易になる。また、このようなグループに基づいた簡略地図の表示を行なう場合には、さらに目的に応じたランドマークを表示することができる。
【００８５】
［第３の実施の形態］
上述の第１の実施の形態および第２の実施の形態において、端末装置１は、特定の１点を指す一意の位置情報ではなく、ある程度の広がりをもった範囲を指す位置情報を設定してランドマークを登録し、簡略地図を作成する。
【００８６】
このようなある程度の広がりをもった範囲を指す位置情報に基づいてランドマークを配置すると、同じ位置にランドマークを示すアイコンの表示が重なってしまう場合もある。このような場合、第１の実施の形態において述べたように立体視画像を用いて表示することや、アニメーション表示を行なうことで、同じ位置に配置されたランドマークをそれぞれを損なうことなく表示する方法も考えられるが、次に述べる処理を行ない、ランドマークの配置が重ならないようにすることが考えられる。
【００８７】
図１７は、複数のランドマークが同じ位置に重なって配置されることを避けて簡略地図を作成する簡略地図作成処理を示すフローチャートである。図１７のフローチャートに示される処理も同様に、端末装置１のＣＰＵ１１がＲＯＭ１３に記憶されるプログラムを読出してＲＡＭ１２上に展開することによって、制御部１０２において実行される。
【００８８】
図１７を参照して、複数のランドマークが同じ位置に重なって配置されることを避けて簡略地図を作成する場合には、図３に示される第１の実施の形態における簡略地図作成処理において、ステップＳ１０７でのランドマークの表示位置の計算の後、ステップＳ１０８で、ランドマークの配置が重ならないようにする処理を実行する。
【００８９】
図１７に示される処理は、図３に示される簡略地図作成処理に対して上述のステップＳ１０８が加わった処理であるため、ステップＳ１０８についての説明のみ行なってその他のステップの説明は繰返さない。
【００９０】
さらに、図１７のステップＳ１０８における処理について、図１８にフローチャートを示す。
【００９１】
図１８を参照して、図１７のステップＳ１０７で計算して決定した当該ランドマークの表示位置に、すでに登録されている他のランドマークが配置されているか否かを確認する（Ｓ１５１）。ステップＳ１５１においては、記憶部１０３に格納されている各ランドマークの属性情報に含まれる位置情報を検索することで、該当するランドマークがあるか否かを検索する。
【００９２】
そして、決定した表示位置に他のランドマークが配置されている場合には（Ｓ１５１でＹＥＳ）、決定した表示位置から所定範囲内の他の位置を指定し（Ｓ１５３）、新たな表示位置と決定する（Ｓ１５５）。
【００９３】
そして、さらにステップＳ１５１へ戻り、決定された表示位置に他のランドマークが配置されているか否かを確認し、他のランドマークが配置されていない表示位置が決定されるまでステップＳ１５１〜Ｓ１５５を繰返す。
【００９４】
以上でランドマークの配置が重ならないようにする処理を終了し、図１７に処理を戻して、ステップＳ１０９において、他のランドマークが配置されていない位置に新たなランドマークを配置するようプロットする。
【００９５】
本実施の形態における端末装置１において上述の簡略地図作成処理が実行されることで、ある程度の広がりを持った範囲で位置情報が設定されたランドマークであっても、他のランドマークと重なることなく簡略地図上に表示されるため、ユーザに見やすい簡略地図を提供することができる。
【００９６】
［第４の実施の形態］
さらに、本実施の形態においては、上述の第１〜第３の実施の形態に示された簡略地図作成処理によって作成された簡略地図に配置されたランドマークの位置情報を変更する処理について述べる。
【００９７】
図１９は、簡略地図変更処理を示すフローチャートである。図１９のフローチャートに示される処理も同様に、端末装置１のＣＰＵ１１がＲＯＭ１３に記憶されるプログラムを読出してＲＡＭ１２上に展開することによって、制御部１０２において実行される。
【００９８】
図１９を参照して、まず、位置情報を変更するランドマークを選択する（Ｓ１６１）。ステップＳ１６１では、表示部１０４に表示された簡略地図上において該当するランドマークをプロットして選択してもよいし、表示部１０４に表示された登録されたランドマークの一覧から該当するランドマークを選択してもよい。
【００９９】
次に、当該ランドマークについての属性である位置情報を新たに設定し（Ｓ１６３）、設定された位置情報に基づいて、簡略地図上の当該ランドマークの表示位置を計算する（Ｓ１６５）。ここでの処理は、第１の実施の形態における処理と同様であるため、説明を繰返さない。なお、ここでは、すでに設定されている位置情報に新たに設定された位置情報を上書きしてもよいし、追記してもよい。
【０１００】
次に、変更された当該ランドマークの位置情報に基づいている、他のランドマークがあるか否か、記憶部１０３を検索し（Ｓ１６７）、該当するランドマークがある場合には（Ｓ１６７でＹＥＳ）、そのランドマークを抽出する（Ｓ１６９）。ここで検索される、変更された当該ランドマークの位置情報に基づいている他のランドマークとは、具体的には、ランドマークＡの位置情報が変更された場合に、「ランドマークＡより南」等の位置情報が設定されているランドマークが該当する。
【０１０１】
そして、抽出された他のランドマークの表示位置を、変更されたランドマークの位置情報に基づいて計算して決定する（Ｓ１７１）。ここでの処理もまた、第１の実施の形態におけるランドマークの表示位置の計算処理と同様であるため、説明を繰返さない。
【０１０２】
上述のステップＳ１６７〜Ｓ１７１の処理を繰返すことで、変更したランドマークの位置情報に基づいている全てのランドマークの表示位置を変更し、処理を終了する。
【０１０３】
さらに、上述の変更処理と同様の処理を行なうことで、ランドマークの位置情報のみならず、他の属性を変更することができる。具体的には、ランドマークのカテゴリ情報等を変更することができる。
【０１０４】
さらに、上述のように位置情報を変更した場合に、同時にその位置情報の信頼度を変更することもできる。信頼度の変更は、位置情報の変更に伴なって自動的に信頼度が高くなるように更新されるものであってもよいし、ユーザが入力し直すものであってもよい。
【０１０５】
本実施の形態における端末装置１が上述の処理を行なうことで、当初は曖昧な位置情報に基づく表示位置の信頼度の低いランドマークであっても、その位置情報の更新を重ねるうちにその位置情報の信頼度を高めることができ、簡略地図がより正確なものに更新されていくこともできる。また、カテゴリ等の他の属性情報も任意に更新することができ、当初は曖昧なカテゴリ等の他の属性情報も、更新を重ねるうちに正確な属性情報となり、簡略地図の充実を図ることができる。
【０１０６】
さらに、第１〜第４の実施の形態の端末装置１において、図２０に示すように、作成した簡略地図のデータであるランドマーク属性情報テーブルあるいはランドマーク情報テーブルを通信部１０１よりサーバ２に送信し、サーバ２に格納することができる。このようにサーバ２にランドマーク属性情報テーブルあるいはランドマーク情報テーブルを格納することによって、複数の端末装置１ａ〜１ｃにおいて簡略地図のデータを共有することができる。また、複数の端末装置１ａ〜１ｃにおいて簡略地図のデータを変更することもできる。
【０１０７】
［第５の実施の形態］
さらに、上述の第１〜第４の実施の形態における簡略地図作成処理および簡略地図変更処理を、簡略地図作成システムにおいて実行することもできる。
【０１０８】
本実施の形態における簡略地図作成システムは、端末装置１とサーバ２とを含み、互いにネットワークを介して通信を行なう。なお、この通信は、インターネットやＬＡＮ等の専用回線を用いた通信や、無線通信等を含む。
【０１０９】
図２１に、第５の実施の形態における簡略地図作成システムの機能ブロック図を示す。
【０１１０】
図２１を参照して、本実施の形態における簡略地図作成システムに含まれるサーバ２は、簡略地図作成処理を実行する制御部２０１と、制御部２０１で作成された簡略地図のデータであるランドマーク属性情報テーブル等を記憶する記憶部２０３と、ネットワークを介して端末装置１と通信を行なう通信部２０２とを含む。
【０１１１】
また、本実施の形態における簡略地図作成システムに含まれる端末装置１は、図１および図２に示される、第１〜第４の実施の形態における端末装置１と同様の構成であるが、制御部１０２は、以下に述べるようなランドマーク地図情報通知処理を実行する。また、記憶部１０３は、簡略地図のデータであるランドマーク属性情報テーブル等に替えて、ランドマークと対応付けられた地図データを記憶するが、さらに地図データもサーバ２の記憶部２０３に記憶されていても構わない。
【０１１２】
図２２に、本実施の形態における簡略地図作成システムで実行される簡略地図作成処理についてフローチャートを示す。図２２のフローチャートに示される処理は、端末装置１のＣＰＵ１１がＲＯＭ１３に記憶されるプログラムを読出してＲＡＭ１２上に展開することによって、制御部１０２において実行され、同時に、端末装置１からの指示を受付けたサーバ２の制御部２０１においても実行される。
【０１１３】
図２２を参照して、始めに、端末装置１において表示する簡略地図の基準位置を設定して、通信部１０１よりサーバ２に送信する（Ｓ２０１）。ここでの基準位置の設定方法は、図３のステップＳ１０１に示される処理と同様であるため、説明を繰返さない。
【０１１４】
次に、サーバ２は、通信部２０２において簡略地図の基準位置の設定を受信すると（Ｓ３０１でＹＥＳ）、設定された位置の簡略地図のデータを端末装置１に対して送信する（Ｓ３０３）。
【０１１５】
次に、端末装置１においてランドマークを新しく登録する場合には（Ｓ２０３でＮＯ）、端末装置１の操作部１０５において登録するランドマークについての属性である位置情報を設定し、通信部１０１よりサーバ２に対して送信する（Ｓ２０５）。ここでは、ランドマークの位置情報と共に他の属性も設定することができるものとする。なお、ここでの処理は、図３のステップＳ１０５と同様であるため、説明を繰返さない。
【０１１６】
次に、サーバ２は、通信部２０２において登録するランドマークについての属性である位置情報を受信すると（Ｓ３０５でＹＥＳ）、制御部２０１において、設定されたランドマークの位置情報に基づいて、簡略地図上の当該ランドマークの表示位置を計算する（Ｓ３０７）。ここでの計算方法は、第１〜第４の実施の形態における端末装置１での計算方法と同様であるため、説明を繰返さない。
【０１１７】
そして、サーバ２は、制御部２０１において、ステップＳ３０７で計算された簡略地図上の表示位置にランドマークをプロットし（Ｓ３０９）、作成された簡略地図のデータを通信部２０２より端末装置１に対して送信する（Ｓ３１１）。また同時に、作成された簡略地図のデータであるランドマーク属性情報テーブルおよびランドマーク情報テーブルを記憶部２０３に格納する。
【０１１８】
通信部１０１でサーバ２から送信された簡略地図のデータを受信した端末装置１においては、表示部１０４に、新たに登録したランドマークが表示された簡略地図を表示する（Ｓ２０７）。そして、他のランドマークの設定を行なわない場合には（Ｓ２０３でＹＥＳ）、以上で簡略地図作成処理を終了する。
【０１１９】
このように、本実施の形態における簡略地図作成システムにおいて上述の処理が実行されることによっても、正確な位置や距離を示す地図データに基づく必要はなく、曖昧に示された位置情報のような簡単な位置関係に基づいて、ランドマークのおおよその位置関係を示す簡略地図を作成することができる。すなわち、少ない情報で位置関係を示すことができ、携帯電話等の狭い画面上であっても、効果的に簡略地図を提供することができる。また、簡単な処理で効果的な簡略地図を容易に作成することができる。さらに、簡略地図作成処理をサーバ２において実行するため、端末装置１の処理能力が低い場合であっても、効果的な簡略地図を提供することができる。
【０１２０】
さらに、上述の簡略地図作成装置あるいは簡略地図作成システムが行なう簡略地図作成方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−ＲＯＭ）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２１】
提供されるプログラム製品は、ハードディスクなどのプログラム格納部にインストールされて実行される。なお、プログラム製品は、プログラム自体と、プログラムが記録された記録媒体とを含む。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】第１の実施の形態における簡略地図作成装置である端末装置１の構成を示すブロック図である。
【図２】第１の実施の形態における簡略地図作成装置である端末装置１の機能を表わす機能ブロック図である。
【図３】第１の実施の形態における簡略地図作成装置である端末装置１で実行される簡略地図作成処理を示すフローチャートである。
【図４】図３のステップＳ１０７における、新たに登録するランドマークの表示位置の計算処理を示すフローチャートである。
【図５】文字列による曖昧な位置情報の具体例を示す図である。
【図６】スクリプトによる曖昧な位置情報の具体例を示す図である。
【図７】図４のステップＳ１２３における曖昧な位置情報からの相対位置の抽出処理を示すフローチャートである。
【図８】作成される簡略地図の具体例を示す図である。
【図９】取得する位置情報の具体例を示す図である。
【図１０】作成される簡略地図の具体例を示す図である。
【図１１】プロットされる位置情報の具体例を示す図である。
【図１２】プロットされる位置情報の具体例を示す図である。
【図１３】ランドマーク属性情報テーブルの具体例を示す図である。
【図１４】ランドマーク情報テーブルの具体例を示す図である。
【図１５】グループを設定した簡略地図の具体例を示す図である。
【図１６】グループを設定した簡略地図の具体例を示す図である。
【図１７】複数のランドマークが同じ位置に重なって配置されることを避けて簡略地図を作成する簡略地図作成処理を示すフローチャートである。
【図１８】図１７のステップＳ１０８における処理を示すフローチャートである。
【図１９】簡略地図変更処理を示すフローチャートである。
【図２０】作成した簡略地図のデータをサーバ２に格納する場合の具体例を示す図である。
【図２１】第５の実施の形態における簡略地図作成システムの機能ブロック図である。
【図２２】第５の実施の形態における簡略地図作成システムで実行される簡略地図作成処理を示すフローチャートである。
【符号の説明】
１，１ａ〜１ｃ　端末装置、２　サーバ、１１　ＣＰＵ、１２　ＲＡＭ、１３ＲＯＭ、１４　ディスプレイ、１０１　端末装置の通信部、１０２　端末装置の制御部、１０３　端末装置の記憶部、１０４　表示部、１０５　操作部、２０１　サーバの制御部、２０２　サーバの通信部、２０３　サーバの記憶部。
【図１】
2004125871.tif 000003
【図２】
2004125871.tif 000004
【図３】
2004125871.tif 000005
【図４】
2004125871.tif 000006
【図５】
2004125871.tif 000007
【図６】
2004125871.tif 000008
【図７】
2004125871.tif 000009
【図８】
2004125871.tif 000010
【図９】
2004125871.tif 000011
【図１０】
2004125871.tif 000012
【図１１】
2004125871.tif 000013
【図１２】
2004125871.tif 000014
【図１３】
2004125871.tif 000015
【図１４】
2004125871.tif 000016
【図１５】
2004125871.tif 000017
【図１６】
2004125871.tif 000018
【図１７】
2004125871.tif 000019
【図１８】
2004125871.tif 000020
【図１９】
2004125871.tif 000021
【図２０】
2004125871.tif 000022
【図２１】
2004125871.tif 000023
【図２２】
2004125871.tif 000024